(57)【要約】【課題】ゴルフバッグを傾けて移動させる際、バッグ本体内に収容したゴルフクラブのヘッドが引き手部材のグリップ部を握る手に当たることがなく、しかも、安定した状態で移動させることのできるゴルフバッグを提供する。【解決手段】ゴルフバッグ１０を傾斜させ、引き手部材２０をバッグ本体１２から引き出してグリップ部２４を把持し、車輪２６ａ、２６ｂを転動させてゴルフバッグ１０を移動させる。このとき、バッグ本体１２が引き手部材２０よりも下方向に位置するため、ゴルフクラブが手に当たることがなく、また、ゴルフバッグ１０自体の重心も低くなるため、安定した状態でゴルフバッグ１０を移動させることができる。【選択図】図３
2006334004.tif 000002
【特許請求の範囲】
【請求項１】
ゴルフクラブを収容するバッグ本体の底部に車輪が設けられるとともに、前記バッグ本体の上部に上下方向に伸縮可能な引き手部材が設けられるゴルフバッグにおいて、
前記車輪は、前記バッグ本体の一方の側面側における底部両側部に設けられ、
前記引き手部材は、前記バッグ本体の他方の側面側における上部に設けられることを特徴とするゴルフバッグ。
【請求項２】
請求項１記載のゴルフバッグにおいて、
前記バッグ本体の前記一方の側面に第１収納部を設けるとともに、前記バッグ本体の前記他方の側面に第２収納部を設けることを特徴とするゴルフバッグ。
【請求項３】
請求項１又は２記載のゴルフバッグにおいて、
前記引き手部材は、２本の支持杆と、前記支持杆の上端を連結するグリップ部とを有することを特徴とするゴルフバッグ。
【発明の詳細な説明】
【技術分野】
【０００１】
本発明は、ゴルフクラブを収容して手引きにより運ぶことができるゴルフバッグに関する。
【背景技術】
【０００２】
上部の引き手部材を把持し、バッグ本体の底部に設けられた車輪を介して移動可能な車輪付きゴルフバッグが知られている。このゴルフバッグによると、ゴルフクラブを収容して重くなったゴルフバッグを容易に移動させることができる（特許文献１参照）。
【０００３】
【特許文献１】特許第３１７９７７４号明細書
【発明の開示】
【発明が解決しようとする課題】
【０００４】
しかしながら、特許文献１に開示されたゴルフバッグは、車輪がバッグ本体の底部の一端側に配設されるとともに、引き手部材がバッグ本体の上部であって、車輪と同じ側に配設されているため、バッグ本体を車輪側に傾斜させて移動させる際、引き手部材のグリップ部を握る手に対してバッグ本体に収容したゴルフクラブのヘッド部分が当たる欠点がある。また、ゴルフバッグの重心が車輪と引き手部材とを結ぶラインよりも上部に位置するため、安定した状態でゴルフバッグを移動させることが困難となるおそれがある。
【０００５】
ヘッド部分がグリップ部を握る手に当たらないようにするには、引き手部材の支持杆を長く形成し、バッグ本体の上端部からグリップ部が十分に離れるようにすることが考えられる。しかしながら、支持杆を長くすると、グリップ部がバッグ本体から遠くなるため、移動時の安定性がさらに低下してしまう。
【０００６】
本発明は、上記の問題に鑑みてなされたものであり、ゴルフバッグを傾けて移動させる際、バッグ本体内に収容したゴルフクラブのヘッドが引き手部材のグリップ部を握る手に当たることがなく、しかも、安定した状態で移動させることのできるゴルフバッグを提供することを目的とする。
【課題を解決するための手段】
【０００７】
本発明のゴルフバッグは、ゴルフクラブを収容するバッグ本体の底部に車輪が設けられるとともに、前記バッグ本体の上部に上下方向に伸縮可能な引き手部材が設けられるゴルフバッグにおいて、
前記車輪は、前記バッグ本体の一方の側面側における底部両側部に設けられ、
前記引き手部材は、前記バッグ本体の他方の側面側における上部に設けられることを特徴とする。
【発明の効果】
【０００８】
本発明によれば、車輪が設けられているバッグ本体の側面側と反対の側面側上部に引き手部材を設けているため、バッグ本体を車輪側に傾けて移動させる際、引き手部材のグリップ部を握る手にバッグ本体に収容したゴルフクラブのヘッド部分が当たることがない。
【０００９】
また、ゴルフバッグを傾斜させたとき、ゴルフクラブを収容するバッグ本体が引き手部材と車輪とを結ぶラインよりも下側に配置されるため、重心位置が低くなり、安定した状態でゴルフバッグを移動させることができる。
【００１０】
さらに、バッグ本体の車輪側の側面に収納部を設けるとともに、引き手部材側の側面にも収納部を設けることにより、十分な収納スペースを確保することができる。
【発明を実施するための最良の形態】
【００１１】
本発明に係るゴルフバッグについて、好適な実施の形態を挙げて説明する。
【００１２】
図１は、本実施形態のゴルフバッグ１０の斜視図であり、図２は、ゴルフバッグ１０の側面図である。
【００１３】
ゴルフバッグ１０は、バッグ本体１２と、バッグ本体１２の上部に配設され、図３に示すゴルフクラブ１４が挿入される口枠部材１６と、バッグ本体１２の下部に配設される底部材１８とを備える。
【００１４】
バッグ本体１２の上部であって口枠部材１６の側部には、引き手部材２０が配設される。引き手部材２０は、矢印方向に伸縮自在な２本の支持杆２２ａ、２２ｂを有し、これらの支持杆２２ａ、２２ｂの上端部間には、グリップ部２４が配設される。なお、支持杆２２ａ、２２ｂは、バッグ本体１２の側部に配設した図示しない管状部材に収納可能に構成することができる。
【００１５】
底部材１８には、バッグ本体１２の上部に配設された引き手部材２０と反対側の端部に一対の車輪２６ａ、２６ｂが回転自在な状態で軸支される。車輪２６ａ、２６ｂの取り付け構造については、例えば、底部材１８を貫通させた車軸の両端部に車輪２６ａ、２６ｂを連結する構造、各車輪２６ａ、２６ｂを底部材１８の両側部に直接軸支する構造等を採用することができる。
【００１６】
バッグ本体１２の上部の引き手部材２０側の部位には、ゴルフバッグ１０を提げるためのハンドル２８が配設される。また、バッグ本体１２の車輪２６ａ、２６ｂ側の側面部には、第１収納部３０が配設され、引き手部材２０側の下部側面部には、第２収納部３２が配設される。
【００１７】
本実施形態のゴルフバッグ１０は、基本的には以上のように構成されるものであり、次にその作用効果について説明する。
【００１８】
ゴルフバッグ１０には、口枠部材１６からゴルフクラブ１４をバッグ本体１２に挿入して収納する。ゴルフバッグ１０を移動させない状態では、図２に示すように、バッグ本体１２を直立状態とし、底部材１８を介して自立させることができる。なお、この状態では、例えば、ゴルフクラブ１４のゴルフバッグ１０に対する挿脱の邪魔とならないよう、引き手部材２０を底部材１８側に押し込んでおくことが望ましい。
【００１９】
一方、ゴルフバッグ１０を移動させる場合、グリップ部２４を把持して引き手部材２０を上方に引き上げた後、図３に示すように、車輪２６ａ、２６ｂ側に傾斜させる。このとき、底部材１８が地面から離れ、車輪２６ａ、２６ｂを介してゴルフバッグ１０を容易に移動できる状態となる。
【００２０】
ここで、ゴルフバッグ１０を車輪２６ａ、２６ｂ側に傾斜させたとき、引き手部材２０がバッグ本体１２に対して車輪２６ａ、２６ｂと反対側に配設されているため、ゴルフクラブ１４を収納しているバッグ本体１２が引き手部材２０の下方に配置されることになる。
【００２１】
この場合、バッグ本体１２に収納されているゴルフクラブ１４もグリップ部２４の下方に配置されるため、ゴルファー等の手にゴルフクラブ１４のヘッド部分が当たることがない。従って、ゴルファー等は、ゴルフクラブ１４に煩わされることなく、ゴルフバッグ１０を移動させることができる。
【００２２】
しかも、バッグ本体１２が引き手部材２０よりも下方向に配置されるため、ゴルフバッグ１０の重心位置も引き手部材２０の下方向となり、安定した状態でゴルフバッグ１０を移動させることができる。
【００２３】
なお、バッグ本体１２には、車輪２６ａ、２６ｂ側の側部と、引き手部材２０側の側部とに、それぞれ第１収納部３０及び第２収納部３２が配設されて収納スペースが確保されているため、これらにグローブや、ボール等を十分に収納することができる。
【図面の簡単な説明】
【００２４】
【図１】本実施形態のゴルフバッグの斜視図である。
【図２】本実施形態のゴルフバッグの側面図である。
【図３】本実施形態のゴルフバッグを移動させる状態の説明図である。
【符号の説明】
【００２５】
１０…ゴルフバッグ      １２…バッグ本体
１４…ゴルフクラブ      １６…口枠部材
１８…底部材            ２０…引き手部材
２２ａ、２２ｂ…支持杆  ２４…グリップ部
２６ａ、２６ｂ…車輪    ２８…ハンドル紐
３０…第１収納部        ３２…第２収納部
【図１】
2006334004.tif 000003
【図２】
2006334004.tif 000004
【図３】
2006334004.tif 000005